(57)【要約】【課題】製造の容易化および吸収材の更新機能の確実化を図る。【解決手段】身体の肌に面する側に設けられた液透過性の表面層２と、身体の肌から遠ざかる側に設けられた防漏層３と、これら表面層２と防漏層３との間に設けられた、体液を吸収保持する吸収体１とを備えた体液吸収性物品において、その表面層２と吸収体１との間に、体液の排泄がある度に不透液範囲が縮小する吸収制御層５を設ける。吸収制御層５としては、表面層２側面のみが撥水加工され不透液性とされた水溶性フィルムが好適に使用される。【選択図】図５
2004298385.tif 000002
【特許請求の範囲】
【請求項１】
体液を吸収保持する吸収体を備えた体液吸収性物品であって、
前記吸収体上に、体液の排泄がある度に不透液範囲が縮小する吸収制御層が設けられている、
ことを特徴とする吸収制御機能を有する体液吸収性物品。
【請求項２】
身体の肌に面する側に設けられた液透過性の表面層と、身体の肌から遠ざかる側に設けられた防漏層とを有し、前記吸収体が前記表面層と前記防漏層との間に設けられており、
前記吸収制御層が前記表面層と前記吸収体との間に設けられている、請求項１記載の体液吸収性物品。
【請求項３】
前記吸収制御層は、体液の排泄がある度に周縁部が溶解する不透液性水溶性層である、請求項１または２記載の体液吸収性物品。
【請求項４】
前記吸収制御層は、表面層側面が撥水処理され且つ防漏層側面が撥水処理されていない水溶性フィルムである、請求項３記載の吸収制御機能を有する体液吸収性物品。
【請求項５】
前記吸収制御層が、湿潤によりその面積が５０％以上収縮する不透液性シートである、請求項１または２記載の体液吸収性物品。
【請求項６】
前記吸収制御層が、体液との接触により収縮する収縮性材を一体化した不透液性シートである、請求項１、２または５記載の吸収制御機能を有する体液吸収性物品。
【請求項７】
前記吸収制御層が、所定時間以上の体液接触により撥水性を失う撥水加工を施した体液透過性シートからなる請求項１または２記載の吸収制御機能を有する体液吸収性物品。
【請求項８】
前記表面層と吸収制御層との間に、不透液範囲をカバーし且つ少なくとも一部が不透液範囲の外側に食み出る体液拡散層が設けられている、請求項１〜７記載の吸収制御機能を有する体液吸収性物品。
【請求項９】
前記体液拡散層は、ＪＩＳ  Ｐ  ８１４１に規定される「紙及び板紙のクレム法による吸水度試験方法」によるクレム吸水度が１０分で１００ｍｍ以上の繊維集合体シートからなるものである、請求項８記載の吸収制御機能を有する体液吸収性物品。
【請求項１０】
前記吸収制御層の不透液範囲は、排泄体液が最初に表面層を透過する範囲として定まる体液受入部分全体をカバーするように設けられている請求項１〜９のいずれか１項に記載の吸収制御機能を有する体液吸収性物品。
【請求項１１】
前記吸収体は高吸収性ポリマーを含むものであり、かつ排泄体液が最初に表面層を透過する範囲として定まる体液受入部分と対応する部分における高吸収性ポリマー量が３００ｇ／ｍ２以上である、請求項１〜１０のいずれか１項に記載の吸収制御機能を有する体液吸収性物品。
【発明の詳細な説明】
【０００１】
【発明の属する技術分野】
本発明は、使い捨ての紙おむつ、生理用ナプキンなどの体液吸収性物品に関し、特に吸収制御機能を有する体液吸収性物品に関する。
【０００２】
【従来の技術】
体液吸収性物品は、基本的に、身体の肌に面する側に設けられた液透過性の表面層、身体の肌から遠ざかる側に設けられた防漏層、および両者の間に設けられた吸収体を有する。
【０００３】
この場合における、吸収体の構成は、種々のものが知られているが、吸収性素材として、高吸収性ポリマー、綿状パルプ（フラッフパルプ）、クレープ紙などの吸収紙を主としている。
【０００４】
特に、高吸収性ポリマー技術の進展により吸収体自体の吸収能力は著しく増加し、近年では、その吸収能力を物品としての吸収性能に十分に活かし、吸収容量が大きく、長時間の着用にも耐えうる（すなわち、複数回の排尿を経てもなお快適に装着していられる）新製品の開発が要望されている。
【０００５】
かかる要求を満たすためには、例えば、尿の場合であっては多数回の排尿量のすべてを体液吸収性部が吸収しなければならない。しかし、排尿が繰り返される度に吸収体の吸収速度は遅くなり、吸収体の隅々まで、特に長手方向端部まで体液が吸収されず、吸収体全体を有効利用できないことが多い。この原因としては、体液の縦方向（製品の長手方向）への拡散が十分でないこと、高吸収性ポリマーの膨潤による拡張濡れが阻害されるいわゆるゲルブロッキング現象が起こることが知られている。
【０００６】
従来、かかる問題点を解決する手法として、縦方向への濡れ拡がりを助ける技術、高吸収性ポリマーのゲルブロッキングを防ぐ技術、高吸収性ポリマーの形状や組み込みの工夫、濡れによって膨潤する空間を確保する技術など（特許文献１〜３参照）が提案されている。
【特許文献１】
特表２０００−５１００３１号公報
【特許文献２】
特表２０００−５１００３３号公報
【特許文献３】
特表平成１１−５０６９６６号公報
【０００７】
【発明が解決しようとする課題】
しかしいずれの方法を用いても、体液の拡散制御が不十分であり、吸収体の有効利用を図るという観点からは改善の余地がある。
【０００８】
そこで、本発明の主たる課題は、より確実に体液の拡散を制御でき、吸収体を十分に有効利用できる技術を提供することにある。
【０００９】
【課題を解決するための手段】
上記課題を解決した本発明は次記のとおりである。
＜請求項１記載の発明＞
体液を吸収保持する吸収体を備えた体液吸収性物品であって、
前記吸収体上に、体液の排泄がある度に不透液範囲が縮小する吸収制御層が設けられている、
ことを特徴とする吸収制御機能を有する体液吸収性物品。
【００１０】
（作用効果）
体液の拡散を図るための技術としては、吸収体上に体液拡散機能を有する繊維集合体層または拡散スペースを設けたりするものが提案されている。しかし、これらの従来技術は、吸収体への体液の受け入れを遮るものではないため、拡散形態を変えようとしても、吸収体による体液吸収が物品の体液受入部分と対応する部位を中心としてその周囲に広がるように進行することに変わりが無く、吸収体の有効利用を図るのにも自ずと限界がある。
【００１１】
しかるに、本発明に従って、吸収体上に、体液の排泄がある度に不透液範囲が縮小する吸収制御層を設けると、吸収体へ向かう体液は、不透液範囲内ではその実質的に全てが吸収体に到達せずに周囲に拡散し、不透液範囲外においてのみ吸収体に吸収される。よって、吸収体に対する体液供給部位と非供給部位とが明確に定まるため、体液の拡散形態、すなわちどの方向に、何処まで、どの程度拡散させるかを従来よりも確実に定めることができる。
【００１２】
しかも、この不透液範囲は体液の排泄がある度に縮小するため、次に吸収体に対して体液が供給される部位は、先の体液供給部位の内側であって且つ縮小後の不透液範囲の外側の範囲内となる。つまり、吸収体の体液供給部位が排泄の度に位置変化し、かつそれに伴い体液の拡散範囲が縮小するのである。その結果、排泄の度に、吸収体における体液未吸収部位または吸収余力を十分に有する部位に対して体液を供給できるため、吸収体を確実に有効利用できる。またそのため、複数回の排泄を経ても、ゲルブロッキング等による吸収能力低下が発生し難く、このこともあいまって、更に十分な吸収体の有効利用を図ることができる。また、排泄の度に体液の拡散範囲が縮小するという一定の傾向は、体液の拡散形態の設定の容易化に寄与する。
【００１３】
したがって、本発明によれば、意図する体液の拡散形態（例えば製品長手方向および幅方向にどの程度拡散するか等）ならびに排泄毎の不透液範囲の縮小度合いに応じて、不透液範囲のサイズ、配置、数、および配列等を適宜定めることによって、確実に体液の拡散を制御でき、且つ吸収体の十分な有効利用を図ることができるようになる。
【００１４】
＜請求項２記載の発明＞
身体の肌に面する側に設けられた液透過性の表面層と、身体の肌から遠ざかる側に設けられた防漏層とを有し、前記吸収体が前記表面層と前記防漏層との間に設けられており、
前記吸収制御層が前記表面層と前記吸収体との間に設けられている、請求項１記載の体液吸収性物品。
【００１５】
（作用効果）
かかる体液吸収性物品に対して本発明の吸収制御層を設ける場合、表面層と吸収体との間に設けるのが好ましい。
【００１６】
＜請求項３記載の発明＞
前記吸収制御層は、体液の排泄がある度に周縁部が溶解する不透液性水溶性層である、請求項１または２記載の吸収制御機能を有する体液吸収性物品。
【００１７】
（作用効果）
かかる水溶性層を用いることにより、確実に体液の拡散を制御でき、吸収体を十分に有効利用できるようになる。
【００１８】
＜請求項４記載の発明＞
前記水溶性層は、表面層側面が撥水処理され且つ防漏層側面が撥水処理されていない水溶性フィルムである、請求項３記載の吸収制御機能を有する体液吸収性物品。
【００１９】
（作用効果）
かかる水溶性フィルムは、表面層側面が撥水処理されているため、フィルム全体が不透液範囲を形成する。よって、表面層側の撥水処理面は体液と接触しても溶解しないため、体液は撥水処理面に到達しても透過せず当該面上を拡散する。そして、拡散した体液がフィルムの周囲から非処理面に回りこみ、非処理面に接触すると溶解する。したがって、不透液範囲をなすフィルム全体が、体液の排泄がある度に溶解して縮小するようになる。
【００２０】
＜請求項５記載の発明＞
前記吸収制御層が、湿潤によりその面積が５０％以上収縮する不透液性シートである、請求項１または２記載の吸収制御機能を有する体液吸収性物品。
【００２１】
（作用効果）
かかる不透液性シートは溶解しないものの、湿潤により収縮するものであり、体液の排泄がある度に不透液範囲が縮小する吸収制御層として好適に用いることができるものである。
【００２２】
＜請求項６記載の発明＞
前記吸収制御層が、体液との接触により収縮する収縮性材を一体化した不透液性シートである、請求項１、２または５記載の吸収制御機能を有する体液吸収性物品。
【００２３】
（作用効果）
体液吸収性物品の分野で良く用いられるポリエチレンシートや撥水処理を施した不織布等のように、体液と接触しても収縮しないシートであっても、体液との接触により収縮する収縮性材を一体化することにより、体液の排泄がある度に不透液範囲が縮小する吸収制御層として好適に用いることができる。
【００２４】
＜請求項７記載の発明＞
前記吸収制御層が、所定時間以上の体液接触により撥水性を失う撥水加工を施した体液透過性シートからなる請求項１または２記載の吸収制御機能を有する体液吸収性物品。
【００２５】
（作用効果）
表面層に良く用いられる親水性不織布等のように体液透過性を有するシートであっても、経時的に撥水性を失う撥水加工を施すことにより、撥水性が失われた部位から体液透過性を有するようになり、シート自体の縮小を伴わないものの、不透液範囲が縮小することになる。よって、かかるシートも、体液の排泄がある度に不透液範囲が縮小する吸収制御層として好適に用いることができる。
【００２６】
＜請求項８記載の発明＞
前記表面層と吸収制御層との間に、不透液範囲をカバーし且つ少なくとも一部が不透液範囲の外側に食み出る体液拡散層が設けられている、請求項１〜７記載の吸収制御機能を有する体液吸収性物品。
【００２７】
（作用効果）
本発明の吸収制御層は不透液範囲を有し、表面層と吸収体との間に設けられるものであるため、表面層の裏面に接して配置されていると、体液が表面層を通過し難くなり装着者に不快感を与えたり、表面層を通過した体液が表面層の表面に逆戻りしたりする。
【００２８】
このため、表面層と吸収制御層との間に、不透液範囲をカバーし且つ少なくとも一部が不透液範囲の外側に食み出る体液拡散層を設けるのが望ましい。これにより、表面層を透過した体液は吸収制御層に沿って拡散層内を移動できるようになるため、排泄体液は表面層を瞬時に通過するとともに、その後表面層側に逆戻りせずに、不透液範囲外の吸収体上に導かれるようになる。
【００２９】
＜請求項９記載の発明＞
前記体液拡散層は、ＪＩＳ  Ｐ  ８１４１に規定される「紙及び板紙のクレム法による吸水度試験方法」によるクレム吸水度が１０分で１００ｍｍ以上の繊維集合体シートからなるものである、請求項８記載の吸収制御機能を有する体液吸収性物品。
【００３０】
（作用効果）
前述のように不透液範囲上に体液拡散層を設ける場合、かかる吸水紙が特に好適である。
【００３１】
＜請求項１０記載の発明＞
前記吸収制御層の不透液範囲は、少なくとも泄体液が最初に表面層を透過する範囲として定まる体液受入部分全体をカバーするように設けられている請求項１〜９のいずれか１項に記載の吸収制御機能を有する体液吸収性物品。
【００３２】
（作用効果）
体液吸収性物品においては、排泄された体液は先ず表面層に到達し、この到達部分から物品に受け入れられる（体液受入部分）。したがって、吸収体の有効利用を図るためには、体液を表面層を介して受け入れた後、吸収体により吸収されるまでの間に、受入部分から如何に遠くまで拡散させるかが重要となる。
【００３３】
しかし、前述したように、吸収体への体液の供給を遮らずに拡散させようとしても、吸収体による体液吸収が物品の体液受入部分を中心としてその周囲に広がるように進行することに変わりが無く、吸収体の有効利用を図るのにも自ずと限界がある。
【００３４】
これに対して、本請求項１０記載のように、吸収制御層の不透液範囲が少なくとも体液受入部分全体をカバーするように設けられていると、例えば一回目の排泄で表面層を通過した体液は、吸収制御層の不透液範囲によって遮られ、その全量が吸収体に供給されずに周囲に拡散され、不透液範囲の周囲から吸収体に供給される。不透液範囲は体液の排泄がある度に縮小するため、次に吸収体に対して体液が供給される部位は、先の体液供給部位の内側であって且つ縮小後の不透液範囲の外側の範囲内となる。
【００３５】
この場合、少なくとも一回目の排泄では、排泄体液の受入部分では吸収体に対する体液供給がなされず、二回目以降の排泄において、物品の体液受入部分において吸収体に対する体液供給がなされる。よって、排泄毎の吸収体による吸収位置が変化するため、吸収体の十分な有効利用を図ることができるとともに、長時間の快適な装着が可能となる。
【００３６】
＜請求項１１記載の発明＞
前記吸収体は高吸収性ポリマーを含むものであり、かつ前記吸収制御層の不透液範囲と対応する部分における高吸収性ポリマー量が３００ｇ／ｍ２以上である、請求項１〜１０のいずれか１項に記載の吸収制御機能を有する体液吸収性物品。
【００３７】
（作用効果）
本請求項１１記載の発明によれば、吸収制御層によって吸収体への体液供給が制御され、体液受入部分における体液吸収が最後になされるため、吸収体における不透液範囲と対応する部分に多量のポリマーを含有させても、股下部近傍が局所的に膨れないため横漏れが発生し難い。また、股下部近傍での吸収が最後の吸収となるから、物品装着者において股下部の吸収体の膨張による違和感や、股下部が湿った感覚を受けた場合には、その時が交換時期である。よって装着者が交換時期を容易に判断できるという利点もある。
【００３８】
【発明の実施の形態】
以下、本発明の実施の形態について、添付図面を参照しながらさらに詳説する。
本発明は使い捨ての紙おむつ、生理用ナプキンなどの体液吸収性物品一般に適用できるものであり、紙おむつに対する適用例を説明すれば、パンツ型使い捨ておむつやパッド型使い捨て吸収性物品での実施の形態や、生理用ナプキンでの実施の形態も直ちに理解できるため、後二者の例についてはその説明を省略する。
【００３９】
図１〜図３は、本発明を適用した使い捨ておむつの例を示している。この使い捨ておむつは、身体の肌に面する側に設けられた液透過性の不織布シート、あるいは孔開きフィルムシートなどからなり、着用者の肌に直接触れる長方形の表面層２、身体の肌から遠ざかる側に設けられたポリエチレンプラスチックフィルムなどからなる長方形の不透液性バックシートなどからなる防漏層３、および両者の間に設けられた吸収体１を有する。
【００４０】
さらに、防漏層３より裏面側たる製品の裏面側には、可撓性の外形シート４を有し、この外形シート４は１枚の不織布または複数枚の通気・撥水性の不織布を積層固定したものにより形成できる。
【００４１】
製品の両側部には、使用面側に突出する脚周り起立カフスＣ，Ｃがそれぞれ形成され、この起立カフスＣは、実質的に幅方向に連続した起立シート８と、たとえば糸ゴムからなる一本のまたは複数本の伸縮部材９とにより構成されている。さらに詳細には、起立カフスＣは、起立シート８を二重にして形成され、伸縮部材９を包んでホットメルト接着剤などにより固着した状態で形成されたものである。各起立カフスＣ，Ｃを形成する起立シート８は、透液性でなく不透液性もしくは疎水性であるのが望ましい。また、不織布などの透液性シートに対してシリコン処理などにより液体をはじく性質となるようにしてもよい。さらに、通気もしくは蒸気透過性を有しているのが望ましい。起立シート８の間に不透液性フィルムシートを挟み込み、さらに防漏性を高めることができる。
【００４２】
二重の起立シート８の内面は、表面層２及び外形シート４にホットメルト接着剤などにより固着されている。その結果、二重の起立シート８のこの固着始端は、起立カフスＣの起立端を形成している。この起立端より先端側は、製品本体に固定されていない自由部分である。
【００４３】
二重の起立シート８の長手方向前後端部は、ホットメルト接着剤などにより、自由部分がその先端を物品の中央側に向かう状態で物品に、具体的には表面層２外面に固定されている。左右の起立カフスＣ，Ｃで囲まれる空間は、尿または軟便の閉じ込め空間を形成する。この空間内に排尿されると、その尿は透液性表面層２を通って吸収体１内に吸収されるとともに、軟便の固形分については、起立カフスＣがバリヤーとなり、その乗り越えが防止される。
【００４４】
他方、前身頃及び後身頃の長手方向端部において、ウエスト部における外形シート４の不織布間に、ウエスト周りのフィット性を高めるために、ウエスト開口部の端縁に平行に間隔を置いて細い糸ゴムからなるウエスト伸縮部材１０，１０…を配置し、これらが伸縮するように伸長下にホットメルト接着剤などにより固定されている。ウエスト伸縮部材１０，１０…の間隔および本数は適宜定めることができるが、例えば間隔としては４〜８ｍｍ程度、本数としては３〜１０本程度が好ましい。符号１１は背側の左右両側部を腹側の左右両側部に持ち込み、接合するためのテープファスナーを示している。
【００４５】
（本発明に関連する構成等）
本実施形態では、上述したような紙おむつに対して、表面層２と吸収体３との間に、体液の排泄がある度に不透液範囲が縮小する吸収制御層５が設けられている。
【００４６】
吸収制御層５としては、周縁から中央に向かって順に溶解が進行する水溶性層が好適である。この水溶性層は、例えば、表面層２側の面がシリコン加工やフッ素加工により撥水処理され且つ防漏層３側の面が撥水処理されていない水溶性フィルムにより形成でき、この場合フィルム全体が不透液範囲を形成する（よって、以下では吸収制御層および不透液範囲に共通の符号を用いることがある）。水溶性フィルムとしては、３０℃の生理食塩水に浸漬したときに３０分以内で完全に溶解するものが好ましく、例えば日本合成化学工業社製の商品名ハイセロンを用いることができる。
【００４７】
吸収制御層５における不透液範囲は、意図する体液の拡散形態ならびに排泄毎の縮小度合いに応じて、サイズ、配置、数、および配列等を適宜定めることができ、いずれの場合にも本発明の効果を発揮できるものであるが、受入部分Ｚを中心とし、吸収体１に対して長さＬ及び幅Ｗが５０〜９０％程度の範囲内、特に６０〜８０％の範囲内とするのが好ましい。これにより、排泄体液の受入部分Ｚ全体が不透液範囲により確実にカバーされる。
【００４８】
吸収性制御層５は、製造上のトラブルを避ける目的で、周囲の部材、例えば吸収体１や後述する拡散層６に対して仮接着するのが好ましく、この場合、体液を吸収して接着力が低下する水溶性（水分散型）ホットメルト接着剤を用いることができる。
【００４９】
また本実施形態では、表面層と吸収制御層との間に、不透液範囲をカバーし且つ周縁部が不透液範囲の周縁の外側に食み出るように、体液拡散層６が設けられている。この体液拡散層６としては、ＪＩＳ  Ｐ  ８１４１に規定される「紙及び板紙のクレム法による吸水度試験方法」によるクレム吸水度が１０分で１００ｍｍ以上、特に１５０ｍｍ以上の繊維集合体（吸収紙等）が好適に使用できる。より詳細には、表面親水化した合成繊維（レーヨン繊維等）からなるか、または表面親水化した合成繊維（レーヨン繊維等）およびセルロース系繊維（パルプ繊維等）の両繊維からなり、坪量が３０〜１００ｇ／ｍ２、特に３０〜５０ｇ／ｍ２であり、かつＪＩＳ  Ｐ  ８１４１に規定される生理食塩水による１０分後のクレム吸水度が１００ｍｍ以上、特に１５０ｍｍ以上である繊維集合体シートを用いることができる。特に、レーヨン繊維のウェブをウォータージェットにより絡合した繊維集合体や、レーヨン繊維のウェブにパルプ繊維を積層し、これらをウォータージェットにより絡合した繊維集合体が好適である。
【００５０】
かくして構成された体液吸収性物品においては、例えば図５（ａ）及び図６に示すように、一回目の排泄で表面層２を通過した体液は、吸収制御層の不透液範囲５によって遮られるため、その全量が吸収体１に供給されずに二点鎖線矢印で示すように周囲に拡散され、不透液範囲５の周囲から吸収体１に供給される。この供給範囲が符号Ｄ１で示す範囲である。ここで、不透液範囲５は体液の排泄がある度に縮小するため、次の排泄時においては同図（ｂ）に符号５´で示すようになり、吸収体１に対して体液が供給される部位は、先の体液供給部位Ｄ１の内側であって且つ縮小後の不透液範囲５の外側に位置する未吸収のまたは吸収余力が十分に残っている範囲Ｄ２内となり、そこに二回目の排泄体液の全てが供給される。図示例では、更に次の排泄時において、同図（ｃ）に示すように不透液範囲５が溶解により消失し、排泄体液の受入部分Ｚを含む未吸収のまたは吸収余力が十分に残っている範囲Ｄ３において吸収体１に体液が供給される。
【００５１】
このように、少なくとも一回目の排泄では、排泄体液の受入部分Ｚでは吸収体１に対する体液供給がなされず、二回目以降の排泄において、物品の排泄体液の受入部分Ｚにおいて吸収体１に対する体液供給がなされると、排泄の度に吸収体１による吸収位置が変化するため、吸収体１の十分な有効利用を図ることができるとともに、長時間の快適な装着が可能となる。
【００５２】
また、図示形態のように表面層２と吸収体１との間に拡散層６が設けられていると、体液の移動路が確保され、体液が表面層２を瞬時に透過するとともに、通過した体液が表面層２側に逆戻りせずに、不透液範囲５外の吸収体１上に導かれるようになる。
【００５３】
さらに、体液は不透液範囲５の周囲から吸収体１に吸収されるが、当該部位から不透液範囲５と吸収体１との間の適宜位置まで延在する拡散性シートを設けることにより、不透液範囲の吸収体側面への回り込みを調節できる。この拡散性シートは、別途設けても良いが、例えば通常吸収体１を構成する繊維集合体の外面を包むクレープ紙により構成できる。
【００５４】
さらに、上述のように不透液範囲５によって吸収体１への体液供給が制御され、体液受入部分ｚにおける体液吸収が最後になされるようになっていると、吸収体１が高吸収性ポリマーを含むものである場合、不透液範囲５と対応する部分における高吸収性ポリマー量を多量（３００ｇ／ｍ２以上）にできる。すなわち、このような構成を採用しても、吸収体１全体の有効利用が図られるため、股下部近傍が局所的に膨れず横漏れが発生し難い。また、股下部近傍での吸収が最後の吸収となるから、物品装着者において股下部の吸収体１の膨張による違和感や、股下部が湿った感覚を受けた場合、その時が交換時期であり、装着者が交換時期を容易に判別できる。
【００５５】
他方、本発明の吸収制御層５としては、水溶性フィルムの他にも、例えば図７に示すように、湿潤によりその面積が５０％以上収縮する不透液性シート２０により形成できる。この場合、不透液性シート２０全体が本発明の不透液範囲となり、これが溶解せずに収縮することにより縮小する。図中には縮小後の状態が二点鎖線で示されている。
【００５６】
湿潤によりその面積が５０％以上収縮する不透液性シート２０としては、変性ポリビニルアルコール系繊維や、セルロース系繊維をカルボキシメチル化した繊維（具体的には特公平６−１０２０６８号公報、特許第２６５６２４５号公報に開示されているもの）等を、不織布、紙、布の形態とすることにより製造できる。不透液性シートの収縮率は適宜設定できる。
【００５７】
これに対して、例えば図８に示すように、不透液性シート３１に対して体液との接触により収縮する収縮性材３２を一体化することにより、体液の排泄がある度に不透液範囲が縮小する吸収制御層５として好適に用いることができる。この吸収制御層は物品に対して非固定であっても良いが、収縮性材３２の収縮方向を考慮し、収縮先の位置と対応する部分を物品に対して、例えば体液拡散層６等の周辺の部材に固定するのが望ましく、これにより、意図する方向に収縮する不透液範囲を構成できる。図示例では収縮性材３２の収縮方向が一方向に揃えられており、不透液性シート３１の縮小方向も一方向となる。
【００５８】
不透液性シート３１としては、体液吸収性物品の分野で良く用いられるポリエチレンシートや撥水処理を施した不織布等のように、体液と接触しても収縮しないものを用いることができる。また、体液との接触により収縮する不透液性シートや、体液との接触により溶解する不透液性シートであっても、例えば不透液範囲の縮小を促進若しくは補助する場合等、必要に応じて収縮性材３２を一体化することができる。
【００５９】
収縮性材３２としては、ポリビニルアルコール系長繊維を複数本引き揃えてなる収縮糸や、セルロース系短繊維を紡績し、これをカルボキシメチル化した後に強撚してなる収縮糸を好適に使用できる。具体的には、特公平６−１０２０６８号公報、特許第２６５６２４５号公報に開示されているものや、市販のものとしては、株式会社ニチビの商品名「ソルブロン」を用いることができ、太さは５００〜１６００ｄｔｅｘのものが好適である。収縮性材３２としては、横断面円形や四角形の糸状もしくは紐状のものや、又はシート状、フィルム状若しくは網状のものなど、あらゆる形状のものを用いることができる。収縮性材３２は、フィラメント状や紡績糸であることもできる。不透液性シート３１の効率良い縮小を可能ならしめるためには、１本あたり１０Ｎ以上の体液吸収時収縮力を有している収縮性材３２を、両端部および中央部に長手方向に沿って複数配列するのが好ましい。
【００６０】
収縮性材３２は、接着や溶着により不透液性シート３１に対して一体化するほか、不透液性シート３１に縫い付ける、または巻き付ける、絡める等により一体化することもできる。この場合、少なくとも収縮性材３２の両端部については、体液と接触しても又収縮張力が作用しても、不透液性シートから解離しないように一体化する。特にホットメルト接着剤は、体液を吸収して接着強度が低下する水溶性（水分散型）のものがあるため、少なくとも収縮性材３２の両端部については、体液を吸収しても十分な接合強度が保たれるものを用いる。
【００６１】
収縮性材３２は不透液性シート３１の吸収体側面および表面層２側面のいずれかに露出していれば良いが、吸収体１側面にのみ露出されるのが好ましい。
【００６２】
かくして構成された不透液性シート３１は、排泄体液が収縮性材３２に接触すると、収縮性材３２が収縮するのに伴って縮小される。
【００６３】
さらに、本発明の吸収制御層５としては、図９に示すように所定時間以上の体液接触により撥水性を失う撥水加工４２を施した体液透過性シート４１を用いることができる。この場合、前述した例のようにシート全体が不透液範囲とならず、撥水性を有する部分４２が不透液範囲となる。しかも、この場合、不透液性範囲の全体に一様に撥水加工を施しても、体液は撥水加工部分４２の周囲に多く供給されるから、撥水性の喪失は撥水加工部分４２の周縁部から中央に向かって進行することになる。
【００６４】
もちろん、撥水加工の程度を加工位置によって変化させることもでき、例えば図１０に示すように、中央から外側に向かうにつれてより容易に撥水性が失われるように、撥水加工の種類や程度を符号４２ａ〜４２ｃで示すように変化させることもできる。
【００６５】
所定時間以上の体液接触により撥水性を失う撥水加工としては、重金属石鹸、ワックス、シリコン等の撥水剤と乳化分散剤とを混合した溶液を親水性不織布等体液透過性シートに塗布することにより製造できる。この際、乳化分散剤量を調節することによりどの程度で撥水性が失われるかを調節できる。撥水性を喪失する時間は、体液の種類や物品の種類（幼児用若しくは大人用紙おむつ、テープ止着式紙おむつ、パンツ型紙おむつ、パッド利用紙おむつ、昼用または夜用紙おむつ、昼用、夜用若しくは多い日用の生理用ナプキン等）に応じて適宜定めることができるが、一般に１０〜３０分程度が好ましい。
【００６６】
他方、前述の水溶性層を用いる場合においても、図１１に示すように溶解性が共通する又は異なる複数の水溶性層５１〜５３を用い、部分的に多層構造とすることにより、溶解し易さ（溶解速度や溶解範囲）を位置によって変化させることができる。図示例では、三層の水溶性層５０が設けられ、表面層２側の上層５１から、防漏層３側の下層５３に向かうに連れて面積が小さくなるように構成されている。この場合、初期段階では体液は上層５１のみ溶解するから不透液範囲の縮小が比較的速やかにかつ広い範囲で進行するが、中期段階では上層５１および中層５２の両者が溶解して初めて不透液範囲が減少することになり、その速度および範囲が一段階低下し、後期段階では上中下の全ての層５１〜５３が溶解して初めて不透液範囲が減少することになり、その速度および範囲が更に一段階低下するようになる。
【００６７】
また、本発明の不透液範囲は、一物品あたり一箇所に設けるのでも良いが、必要に応じて複数箇所にそれぞれ設けることもできる。この場合、吸収制御層５を複数箇所設けるか、一つの吸収制御層５あたり複数の不透液性範囲を設けることができる。図１２は、この例を示しており、物品前後方向に延在する細長の不透液範囲６０，６０…を物品幅方向に複数列配置したものである。
【００６８】
さらに、本発明の不透液範囲によって体液拡散性を制御する場合、不透液範囲を多数設け、その配置の疎密により位置毎に不透液性を異ならしめることができる。例えば、物品中央に近くなるほど不透液範囲間の間隔が小さくなり、体液が吸収体に到達しにくくなる配列を採用できる。
【００６９】
さらに、本発明の不透液範囲の形状は矩形のみならず、適宜定めることができ、体液吸収性物品における一般的な体液拡散形態を考慮し、例えば図１３に示すように、物品前後方向を長軸とし且つ排泄体液の受入部分を中心とする楕円形状の不透液範囲７０を設けたり、図示しないが、排泄体液の受入部分におけるスポット的な吸収を排除するために、排泄体液の受入部分を含む可能な限り小径の円形不透液範囲を設けたりすることもできる。
【００７０】
【発明の効果】
以上のとおり本発明によれば、より確実に体液の拡散を制御でき、吸収体を十分に有効利用できるようになる。
【図面の簡単な説明】
【図１】本発明に係る紙おむつの展開状態における表面層側平面図である。
【図２】図１のＩＩ−ＩＩ断面図である。
【図３】図１のＩＩＩ−ＩＩＩ断面図である。
【図４】表面層と防漏層との間の部分の、長手方向に沿う断面図である。
【図５】拡散形態を示す要部（吸収体及び制御層）平面図である。
【図６】拡散形態を示す断面概略図である。
【図７】他の吸収制御層の例を示す要部（吸収体及び制御層）平面図である。
【図８】別の吸収制御層の例を示す斜視図である。
【図９】他の吸収制御層の例を示す要部（吸収体及び制御層）平面図である。
【図１０】別の吸収制御層の例を示す要部（吸収体及び制御層）平面図である。
【図１１】他の吸収制御層の例を示す要部（吸収体及び制御層）平面図である。
【図１２】別の吸収制御層の例を示す要部（吸収体及び制御層）平面図である。
【図１３】他の吸収制御層の例を示す要部（吸収体及び制御層）平面図である。
【符号の説明】
１…吸収体、２…表面層、３…防漏層、５…吸収制御層、６…体液拡散層。
【図１】
2004298385.tif 000003
【図２】
2004298385.tif 000004
【図３】
2004298385.tif 000005
【図４】
2004298385.tif 000006
【図５】
2004298385.tif 000007
【図６】
2004298385.tif 000008
【図７】
2004298385.tif 000009
【図８】
2004298385.tif 000010
【図９】
2004298385.tif 000011
【図１０】
2004298385.tif 000012
【図１１】
2004298385.tif 000013
【図１２】
2004298385.tif 000014
【図１３】
2004298385.tif 000015